(57)【要約】【課題】配線母線の電線種類に極めて対応し易く、故障や破損の原因となる無理な取付け作業を排除し、電力量計の失効換え工事に際し、作業負担や経費負担を低減できる無停電工具を提供する。また、消耗部分を的確に判断し、すみやかに消耗部品を交換可能とすることで作業が容易にできる状態を維持し、電力量計の失効換え工事に際し、作業負担や経費負担を低減できる無停電工具の検査治具を提供する。【解決手段】工具本体１０と押さえ部２０との固定時の位置を調節して工具本体１０と押さえ部２０との平行溝間が拡縮するようになされ、径の異なる複数種類の配線母線Ｂを固定するような無停電工具１とした。また、押し切りねじの切り刃や金属端子の雌ねじ部の劣化を検出する検査治具とした。【選択図】図１
2007212318.tif 000002
【特許請求の範囲】
【請求項１】
電力量計の取替工事に際し、電力量計から外部へ引き出された配線母線の電源側電線と負荷側電線とをバイパス接続する無停電工具において、
配線母線の固定用に形成された複数の平行溝を有する工具本体と、
配線母線の固定用に形成された複数の平行溝を有する押さえ部と、
工具本体に対して押さえ部を移動させて、工具本体の平行溝と押さえ部の平行溝とで配線母線の電源側電線と負荷側電線とを挟んで固定するための締結手段と、
工具本体の平行溝まで貫通するとともに平行溝と略垂直となるように工具本体に形成された接続孔と、
内周に雌ねじ部が形成され、バイパス回路と電気的に接続された状態で接続孔内部に雌ねじ部が同軸状となるように配設される金属端子と、
先端に切り刃が形成されるとともに金属端子の雌ねじ部に螺合され、先端が配線母線の被覆を押し切って電気的に接続される押し切りねじと、
電源側電線用の金属端子と負荷側電線用の金属端子との間に設けられ、電源側電線と負荷側電線との間を電気的に接離するスイッチと、
を備え、
押さえ部と工具本体との固定時の位置を調節して押さえ部と工具本体との平行溝間が拡縮するようになされ、径の異なる複数種類の配線母線を固定するようにしたことを特徴とする無停電工具。
【請求項２】
請求項１に記載の無停電工具において、
工具本体側に形成された凹部に押さえ部側に形成された凸部が嵌め込まれることにより、または、工具本体側に形成された凸部が押さえ部側に形成された凹部に嵌め込まれることにより、押さえ部が工具本体に対して平行移動するようになされ、凹部に凸部が嵌め込まれて停止したときに工具本体と押さえ部との平行溝の最短間隔が決定されることを特徴とする無停電工具。
【請求項３】
請求項２に記載の無停電工具において、
前記押さえ部は、
前記工具本体と押さえ部との間隔を狭くして配電母線のうち２ｍｍ２乃至１４ｍｍ２の断面積を有する細線を平行溝が固定するような線細固定用押さえ部と、前記工具本体と押さえ部との間隔を広くして配電母線のうち１４ｍｍ２乃至２２ｍｍ２の断面積を有する太線を平行溝が固定するような太線固定用押さえ部と、の二種であることを特徴とする無停電工具。
【請求項４】
請求項１〜請求項３の何れか一項に記載の無停電工具に対して検査するための検査治具であって、
押し切りねじ先端の切り刃を挿通させるように開口部が形成された中空円筒部を備え、使用された押し切りねじの切り刃を中空円筒部に挿通させて、中空円筒部に押し切りねじの切り刃が挿通可能であるとき押し切りねじを使用可能と判断し、また、中空円筒部に押し切りねじの切り刃が挿通不能であるとき押し切りねじを使用不能と判断する押し切りねじ寿命確認用検査治具であることを特徴とする無停電工具の検査治具。
【請求項５】
請求項１〜請求項３の何れか一項に記載の無停電工具に対して検査するための検査治具であって、
軸方向に段差を設けて、金属端子の雌ねじに螺挿される先端のねじ部と、ねじ部よりも大きい径であるとともに挿通孔よりも小さい径であって平滑面が形成されたねじ止め部と、を有する円柱金属製からなる棒状の治具とし、金属端子にねじ部が螺挿可能であるとき金属端子を使用可能と判断し、また、金属端子にねじ部が螺挿不能であるかねじ止め部が通過するとき金属端子を使用不能と判断する金属端子寿命確認用検査治具であることを特徴とする無停電工具の検査治具。
【発明の詳細な説明】
【技術分野】
【０００１】
本発明は、低電圧需要家の取引用電力量計などの計器に接続された配線母線の電源側電線と負荷側電線とを短絡させて、無停電で、計器を交換するために使用される無停電工具、および、この無停電工具の劣化を検査するための検査治具に関する。
【０００２】
従来技術の無停電工具の一例として、例えば、特許文献１（実公平７−２０６０８号公報）等に開示されたものがある。この従来技術の一例の無停電工具について図を参照しつつ説明する。図７は従来技術の無停電工具の説明図であり、図７（ａ）は接続箇所を示す断面図、図７（ｂ）は固定台における平行溝の説明図である。
無停電工具は、図７（ａ），（ｂ）で示すように、工具本体１００、押さえ部２００、締結ねじ３００、押し切りねじ４００を備えている。
【０００３】
工具本体１００は、合成樹脂製の固定部１０１を有しており、この固定部１０１の外側面に多数のほぼ半円形か、又は、三角断面の複数本の平行溝１０２が形成されている。平行溝１０２は、電力量計（図示せず）の端子位置に対応しており、電源側電線と負荷側電線を案内するために設けられる。さらに、これら複数本の平行溝１０２とそれぞれ連通するよう複数の接続孔１０３が設けられている。また、接続孔１０３の内部には雌ねじが形成された金属端子１０４が設けられている。
【０００４】
押さえ部２００は、合成樹脂製の部材の板体２０１の板面に多数のほぼ半円形か、又は三角断面の平行溝２０２が設けてあり、下面に鋼板製の強固な補強板２０３が接着されている。平行溝２０２は、図７（ｂ）で示すように多数の平行溝が並べられたものであり、また、板体２０１の長さ方向の両端部にねじ穴２０４が設けられている。補強板２０３にはこのねじ穴２０４と対応する位置に雌ねじが形成されている。
【０００５】
締結ねじ３００は、工具本体１００に押さえ部２００を固定する。
押し切りねじ４００は、工具本体１００の固定部１０１内の金属端子１０４にそれぞれ螺挿されている。各押し切りねじ４００は電力量計（図示せず）の端子１Ｓ；１Ｌ；２Ｓ；２Ｌ；３Ｓ；３Ｌと対応しており、電力量計の相と対応して同一の相の押し切りねじ４００同士は、工具本体１００の固定部１０１の内部においてスイッチの接点を経て電気的に接続されている。各押し切りねじ４００の先端は、細い環状の切り刃４０１となっている。
【０００６】
このような無停電工具では、電力量計に接続された電源側電線と負荷側電線を、工具本体１００の溝１０２および押さえ部２００の溝２０２により挟み込んで固定し、押し切りねじ４００の切り刃４０１が電源側電線と負荷側電線の絶縁被覆を押し切って、前記双方の電線を短絡させてバイパス回路を形成して活線状態を維持する。そして電力量計の取換え作業を行うことができるようになる。無停電工具とはこのようなものである。
【０００７】
【特許文献１】実公平７−２０６０８号公報（第３図，第４図）
【発明の開示】
【発明が解決しようとする課題】
【０００８】
しかしながら、交換作業の対象となる電力量計は、定格電流３０〔Ａ〕としても、相及び線式にあっては、単相３線式、三相３線式、定格電圧にあっては、１００〔Ｖ〕、２００〔Ｖ〕のごとく種類が多種多用であり、電力量計種類や需要家契約電力に応じて、その配線母線も異なるものであり、電線種類にあっては、ＩＶ，ＶＶ，ＤＶ，ＳＶ，ＣＶ、ＣＶＴ等多数あり、また電線サイズにあっては２．０ｍｍ２から２２ｍｍ２までの中に多数あり断面積のごとく統一された電線が使用されているわけではない。更に、既設配線母線は、曲がりやねじれ等のくせが激しい電線となっていることが多い。
【０００９】
このように電線種類や電線サイズが多種にわたり存在するため、電力量計の失効換え工事の作業者は、多数種類やサイズを有する電線に対して無停電工具を取付ける際に、種類別やサイズ別に、故障、破損、短絡事故等起さぬように慎重な作業を心掛る必要があり、操作が簡単な無停電工具が望まれていた。
更に、無停電工具の金属端子の雌ねじ部や押し切りねじ先端の切り刃等が消耗されているにもかかわらず作業を強いられるなど、電力量計の失効換え工事の作業負担や経費負担を増大させていた。このような作業負担・経費負担を軽減できるような簡単な検査治具が望まれていた。
【００１０】
そこで本発明は、上述の課題を解決するためになされたものであり、その目的は、配線母線の電線種類に極めて対応し易く、故障や破損の原因となる無理な取付け作業を排除し、電力量計の失効換え工事に際し、作業負担や経費負担を低減できる無停電工具を提供しようとするものである。
また、消耗部分を的確に判断し、すみやかに消耗部品を交換可能とすることで作業が容易にできる状態を維持し、電力量計の失効換え工事に際し、作業負担や経費負担を低減できる無停電工具の検査治具を提供しようとするものである。
【課題を解決するための手段】
【００１１】
本発明の請求項１に係る無停電工具は、
電力量計の取替工事に際し、電力量計から外部へ引き出された配線母線の電源側電線と負荷側電線とをバイパス接続する無停電工具において、
配線母線の固定用に形成された複数の平行溝を有する工具本体と、
配線母線の固定用に形成された複数の平行溝を有する押さえ部と、
工具本体に対して押さえ部を移動させて、工具本体の平行溝と押さえ部の平行溝とで配線母線の電源側電線と負荷側電線とを挟んで固定するための締結手段と、
工具本体の平行溝まで貫通するとともに平行溝と略垂直となるように工具本体に形成された接続孔と、
内周に雌ねじ部が形成され、バイパス回路と電気的に接続された状態で接続孔内部に雌ねじ部が同軸状となるように配設される金属端子と、
先端に切り刃が形成されるとともに金属端子の雌ねじ部に螺合され、先端が配線母線の被覆を押し切って電気的に接続される押し切りねじと、
電源側電線用の金属端子と負荷側電線用の金属端子との間に設けられ、電源側電線と負荷側電線との間を電気的に接離するスイッチと、
を備え、
押さえ部と工具本体との固定時の位置を調節して押さえ部と工具本体との平行溝間が拡縮するようになされ、径の異なる複数種類の配線母線を固定するようにしたことを特徴とする。
【００１２】
また、本発明の請求項２に係る無停電工具は、
請求項１に記載の無停電工具において、
工具本体側に形成された凹部に押さえ部側に形成された凸部が嵌め込まれることにより、または、工具本体側に形成された凸部が押さえ部側に形成された凹部に嵌め込まれることにより、押さえ部が工具本体に対して平行移動するようになされ、凹部に凸部が嵌め込まれて停止したときに工具本体と押さえ部との平行溝の最短間隔が決定されることを特徴とする。
【００１３】
また、本発明の請求項３に係る無停電工具は、
請求項２に記載の無停電工具において、
前記押さえ部は、
前記工具本体と押さえ部との間隔を狭くして配電母線のうち２ｍｍ２乃至１４ｍｍ２の断面積を有する細線を平行溝が固定するような線細固定用押さえ部と、前記工具本体と押さえ部との間隔を広くして配電母線のうち１４ｍｍ２乃至２２ｍｍ２の断面積を有する太線を平行溝が固定するような太線固定用押さえ部と、の二種であることを特徴とする。
【００１４】
本発明の請求項４に係る無停電工具の検査治具は、
請求項１〜請求項３の何れか一項に記載の無停電工具に対して検査するための検査治具であって、
押し切りねじ先端の切り刃を挿通させるように開口部が形成された中空円筒部を備え、使用された押し切りねじの切り刃を中空円筒部に挿通させて、中空円筒部に押し切りねじの切り刃が挿通可能であるとき押し切りねじを使用可能と判断し、また、中空円筒部に押し切りねじの切り刃が挿通不能であるとき押し切りねじを使用不能と判断する押し切りねじ寿命確認用検査治具であることを特徴とする。
【００１５】
また、本発明の請求項５に係る無停電工具の検査治具は、
請求項１〜請求項３の何れか一項に記載の無停電工具に対して検査するための検査治具であって、
軸方向に段差を設けて、金属端子の雌ねじに螺挿される先端のねじ部と、ねじ部よりも大きい径であるとともに挿通孔よりも小さい径であって平滑面が形成されたねじ止め部と、を有する円柱金属製からなる棒状の治具とし、金属端子にねじ部が螺挿可能であるとき金属端子を使用可能と判断し、また、金属端子にねじ部が螺挿不能であるかねじ止め部が通過するとき金属端子を使用不能と判断する金属端子寿命確認用検査治具であることを特徴とする。
【発明の効果】
【００１６】
本発明によれば、配線母線の電線種類に極めて対応し易く、故障や破損の原因となる無理な取付け作業を排除し、電力量計の失効換え工事に際し、作業負担や経費負担を低減できる無停電工具を提供することができる。
また、消耗部分を的確に判断し、すみやかに消耗部品を交換可能とすることで作業が容易にできる状態を維持し、電力量計の失効換え工事に際し、作業負担や経費負担を低減できる無停電工具の検査治具を提供することができる。
【発明を実施するための最良の形態】
【００１７】
本発明の無停電工具を実施するための最良の形態について図に基づき説明する。図１は本形態の無停電工具の外観図であり、図１（ａ）は正面図、図１（ｂ）は平面図、図１（ｃ）は右側面図、図１（ｄ）は底面図である。図２は電源側電線や負荷側電線の固定状態の説明図であり、図２（ａ）は細線（小径電線）固定の説明図、図２（ｂ）は太線（大径電線）固定の説明図である。
無停電工具１は、詳しくは図１で示すように、工具本体１０、押さえ部２０、締結ねじ３０、押し切りねじ４０、表示部５０、スイッチ６０を備えている。
【００１８】
工具本体１０は、図１，図２で示すように、例えば合成樹脂製の固定部１１を本体とし、外側面の中央に凹部１２が形成されている。また、この固定部１１の凹部１２内の外側面に断面ほぼ甲丸状（弓形状）の複数本の平行溝１３が形成されている。この固定部１１の内部にバイパス回路をなす接続導体（図示せず）が埋め込まれている。平行溝１３は、電力量計（図示せず）の端子位置に対応しており、この平行溝１３により電源側電線Ｂ１と負荷側電線Ｂ２とが所定の位置に配置・誘導される。さらに、これら複数本の平行溝１３とそれぞれ連通するよう複数の接続孔１４（図６（ｂ）参照）が設けられている。また、接続孔１４の内部には押し切りねじ４０が螺合される雌ねじ１６が形成された金属端子１５（図６（ｂ）参照）が設けられている。
【００１９】
押さえ部２０は、図１，図２で示すように合成樹脂製の部材の板体２１を備え、中央に凸部２２が形成されている。凸部２２の突出面に多数のほぼＶ型断面の平行溝２３が設けてある。この平行溝２３により電源側電線Ｂ１と負荷側電線Ｂ２とが所定の位置に配置・誘導される。例えば、図２で示すように工具本体１０の平行溝１３と押さえ部２０の平行溝２３との間に固定される。押し切り時には工具本体１０の平行溝１３内に入り込み、確実に固定される。
【００２０】
締結ねじ３０は、本発明の締結手段の具体例であり、固定部１１に形成された挿通孔に挿通されるとともに押さえ部２０の図示しない雌ねじ部に螺挿されるようになされており、締結ねじ３０を締め付けると工具本体１０に対して押さえ部２０が電源側電線Ｂ１と負荷側電線Ｂ２を挟み込んだ状態で締結固定される。図１（ｂ），（ｃ）ではちょうねじが図示されているが、六角ボルトなど各種の締結ねじを用いることができる。
【００２１】
押し切りねじ４０は、工具本体１０の固定部１１内の金属端子１５にそれぞれ螺挿されており、その先端が細い環状の切り刃４１（図５（ａ）参照）となっているため、電源側電線Ｂ１と負荷側電線Ｂ２の絶縁被覆を押し切って内部心線と短絡させ、工具本体１０の固定部１１の内部に設けられた接続導体（図示せず）と電気的接続をおこなってバイパス回路を形成する。各押し切りねじ４０は電力量計（図示せず）の端子１Ｓ；１Ｌ；２Ｓ；２Ｌとそれぞれ対応しており、電力量計の相と対応して同一の相の押し切りねじ４０同士は、工具本体１０の固定部１１の内部においてスイッチ６０の接点を経て電気的に接続されている。
【００２２】
表示部５０は、例えば、表示ランプやＬＥＤ素子などであり、上記のバイパス回路の１Ｓ−１Ｌ間が電気的に接続されたときに表示する１Ｓ−１Ｌ表示部と、同じくバイパス回路の２Ｓ−２Ｌ間が電気的に接続されたときに表示する２Ｓ−２Ｌ表示部と、を備える。
スイッチ６０は、内部回路のうち上記の２系統のランプをＯＮーＯＦＦするような形態で接続がなされており、電源側電線Ｂ１と負荷側電線Ｂ２との１Ｓ−１Ｌ間および２Ｓ−２Ｌ間の接続がなされているときにのみスイッチ６０をＯＮにすると、電源側電線Ｂ１、押し切りねじ４０、金属端子１５、バイパス回路、スイッチ６０、金属端子１５、押し切りねじ４０、負荷側電線Ｂ２が導通するとともに、この導通を通知するため表示ランプ５０が両者ともに点灯・点滅する。
【００２３】
続いて、本形態の無停電工具の使用方法について説明する。
このような構成において、電力量計を取替える工事を行うとき、工具本体１０と押さえ部２０とで電力量計からの電源側電線Ｂ１と負荷側電線Ｂ２とを挟んで締結ねじ３０で締結した状態で設置する。このとき、電源側電線Ｂ１と負荷側電線Ｂ２とは、工具本体１０の平行溝１３と押さえ部２０の平行溝２３とにより挟持固定されている。
【００２４】
そして押し切りねじ４０を締めつけるとその先端の切り刃４１が電源側電線Ｂ１と負荷側電線Ｂ２の絶縁被覆を押し切り、その内部導体部と電気的に接触させる。そして他の押し切りねじ４０も締めつけて１Ｓ−１Ｌ間，２Ｓ−２Ｌ間で上記のようなバイパス回路を形成する。スイッチ６０をＯＮにすると１Ｓ−１Ｌ間，２Ｓ−２Ｌ間のバイパス回路が活線状態となり、表示部５０が表示して活線を確認できる。作業員は失効した電力量計を取り外して新しい電力量計を取付ける。無停電工具１はこのようにして使用される。
【００２５】
続いて、無停電工具１における細線固定、太線固定について説明する。
図１，図２で示すように、工具本体１０の固定部１１には凹部１２が形成されており、また、押さえ部２０の板体２１に形成された凸部２２が形成されている。本形態では凹部１２内に凸部２２が嵌め込まれて、工具本体１０に対する押さえ部２０の移動が拘束されて、固定部１１の平行溝１３と押さえ部２０の平行溝２３との平行溝間が拡縮するような移動をし、距離を調整できるようになされている。これにより、図２（ａ）で示すように細い電源側電線Ｂ１と負荷側電線Ｂ２を押さえることができる。なお、把持できる電源側電線Ｂ１と負荷側電線Ｂ２の最小径は、凹部２２に凸部１２が嵌め込まれてこれ以上進めないときにおける工具本体１０と押さえ部２０との平行溝１３，２３間の間隔で決定される。
【００２６】
また、図２（ｂ）で示すように太い電源側電線Ｂ１と負荷側電線Ｂ２を挟持することができる。この場合、凹部１２と凸部２２との間には隙間が形成される。把持できる電源側電線Ｂ１と負荷側電線Ｂ２の最大径は、凹部１２の平行溝１３の曲率半径に一致するような電源側電線Ｂ１や負荷側電線Ｂ２の直径である。
このように工具本体１０と押さえ部２０と固定時の位置を調節して径の異なる複数種類の配線母線を固定する。
【００２７】
なお、本形態では、図１，２で示すように、工具本体１０に凹部１２が、また、押さえ部２０に凸部２２が形成されるものとした。しかしながら、工具本体１０に凸部が、また、押さえ部２０に凹部が形成されるものとしても良い。或いは、図示しないが、凸部を複数の棒とし、また、凹部を対応する孔とし、工具本体１０または押さえ部２０の一方に凹部を、他方に凸部を形成することで、スライド可能な案内構造としてもよい。このように工具本体１０および押さえ部２０の当接面両端部において、平行溝と直角方向に拡縮する構成を備えるようにすれば良い。
【００２８】
このような無停電工具１によれば、工具本体１０および押さえ部２０両方の平行溝１３，２３を囲むように形成する配線母線挿通孔が、その直径を可変し、種々の断面積を有する配線母線に対応できるようにしている。そして、工具本体１０および押さえ部２０に設けた両端の締付けボルト３０を締め付けることにより、配線母線が複数の平行溝１３，２３に圧締されながら、しっくりと収納され、工具本体１０および押さえ部２０との当接面で一体的に固定保持される。
【００２９】
続いて、このような無停電工具の具体例について説明する。図３は無停電工具の具体例を説明する説明図であり、図３（ａ）は正面図、図３（ｂ）は平面図、図３（ｃ）は右側面図である。例えば、図３で示すように、電源（図示せず）に接続された１Ｓ，２Ｓという電源側電線Ｂ１と、負荷（図示せず）に接続された１Ｌ，２Ｌという負荷側電線Ｂ２と、に接続される無停電工具である。この場合、押さえ部２０の平行移動により、ＩＶ，ＶＶ，ＤＶ，ＳＶ，ＣＶ各線の断面積２．０ｍｍ２〜１４ｍｍ２およびＣＶＴ線の断面積２．０ｍｍ２〜５．５ｍｍ２に対し圧締可能としている。
なお、電線は、単線、より線の構成にかかわらず、例えば、単線の電線径にして１．６ｍｍ程から、より線の断面積にして更に６０ｍｍ２  程まで、押さえ部２５の使い分けにより圧締可能としている。
【００３０】
続いて他の形態について説明する。図４は他の形態の無停電工具を説明する説明図であり、図４（ａ）は正面図、図４（ｂ）は平面図、図４（ｃ）は右側面図、図４（ｄ）は他の押さえ部の拡大図、図４（ｅ）は他の押さえ部の右側面図である。例えば、図４で示すように、電源（図示せず）に接続された１Ｓ，２Ｓ，３Ｓという電源側電線Ｂ１と、負荷（図示せず）に接続された１Ｌ，２Ｌ，３Ｌという負荷側電線Ｂ２と、に接続される無停電工具である。表示部として、上記のバイパス回路の１Ｓ−２Ｓ間が電気的に接続されたときに表示する１Ｓ−２Ｓ表示部と、同じくバイパス回路の２Ｓ−３Ｓ間が電気的に接続されたときに表示する２Ｓ−３Ｓ表示部と、同じくバイパス回路の１Ｌ−２Ｌ間が電気的に接続されたときに表示する１Ｌ−２Ｌ表示部と、同じくバイパス回路の２Ｌ−３Ｌ間が電気的に接続されたときに表示する２Ｌ−３Ｌ表示部と、を備える。
【００３１】
この場合、押さえ部としては細線固定用押さえ部２４と太線固定用押さえ部２５とを備えている。細線固定用押さえ部２４をベージュ色とし、また、太線固定用押さえ部２５を緑色として判別し易くしている。細線固定用押さえ部２４は平行移動により、ＩＶ，ＶＶ，ＤＶ，ＳＶ，ＣＶ各線の断面積２．０ｍｍ２〜１４ｍｍ２およびＣＶＴ線の断面積２．０ｍｍ２〜５．５ｍｍ２に対し圧締可能とし、工具本体１０と細線固定用押さえ部２４（ベージュ色）との間で一体的に固定する。また、細線固定用押さえ部２４に代えて太線固定用押さえ部２５を装着すると、太線固定用押さえ部２５は平行移動により、ＩＶ，ＶＶ，ＤＶ，ＳＶ，ＣＶ各線の断面積１４ｍｍ２〜２２ｍｍ２およびＣＶＴ線の断面積８ｍｍ２〜２２ｍｍ２に対し圧締可能とし、工具本体１０と太線固定用押さえ部２５（緑色）との間で一体的に固定する。本形態では工具本体１０は共通であるが、押さえ部を線固定用押さえ部２４、太線固定用押さえ部２５という二区分して使い分ける。なお、それぞれベージュ色と緑色に識別し、固定台の取り違いを未然に防止するようにしている。又、相及び線式による電力量計の違いに応じた取り替え工事に使用する無停電工具は、ことわりがない限り共通としている。
このように構成することで、電源側電線Ｂ１と負荷側電線Ｂ２との径の大小を吸収して接続することができるようになる。
【００３２】
続いてこのような無停電工具１の劣化を検出するための検査治具について説明する。まず、押し切りねじ寿命確認用検査治具８０について図を参照しつつ説明する。図５は押し切りねじ寿命確認用検査治具の説明図であり、図５（ａ）は押し切りねじ寿命確認用検査治具と検査手順の説明図、図５（ｂ）は劣化した押し切りねじの説明図である。押し切りねじ寿命確認用検査治具８０は、支持部８１、中空円筒部８２を備えている。
【００３３】
支持部８１は、例えば棒状の部材であるが、特に形状を問わない物であり、適宜形状を変更することができる。
中空円筒部８２は、使用前の（異常がない）押し切りねじ４０の先端の切り刃４１を挿通させるように開口部が形成されている。
【００３４】
続いて検査の原理について説明する。押し切りねじ４０は、強い力で配線母線Ｂの絶縁被覆を押し切るため、使用が進むにつれて、切り刃４１が、図５（ｂ）で示すように、変形した切り刃４２となる。変形した切り刃４２の直径が限界値Ｘに達したときに、押し切りねじ４０は寿命であると判定できるようにする。そこで、中空円筒部８２内の内径は限界値Ｘと同じ値としている。
【００３５】
検査であるが、使用された押し切りねじ４０の先端の切り刃４１を中空円筒部８２に挿通させて、中空円筒部８２内に押し切りねじ４０の切り刃４１が挿通可能であるとき押し切りねじ４０を使用可能と判断し、また、中空円筒部８２内に押し切りねじ４０の切り刃４１が挿通不能であるとき押し切りねじ４０を使用不能と判断する。このような押し切りねじ寿命確認用検査治具８０とすることで、消耗品である押し切りねじ４０の寿命が容易に確認でき、従来では使用期間等で決定していた交換に代えて、押し切りねじ４０の状態で交換できるようになったため、常に押し切りが容易に行える状態を維持する無停電工具とすることができる。
【００３６】
続いて、無停電工具１の劣化を検出する金属端子寿命確認用検査治具について図を参照しつつ説明する。図６は金属端子寿命確認用検査治具の説明図であり、図６（ａ）は金属端子寿命確認用検査治具と詳細部の説明図、図６（ｂ）は検査方法の説明図である。金属端子寿命確認用検査治具９０は、支持部９１、ねじ止め部９２、雄ねじ部９３を備えている。
【００３７】
支持部９１は、工具本体１０の接続孔１４を挿通できるような細い径の棒状の部材である。
ねじ止め部９２は、ねじ部９３よりも大きい径であるとともに接続孔１４よりも小さい径であって平滑面が形成されている。
ねじ部９３は金属端子１５の雌ねじ１６に螺挿することができる。
【００３８】
続いて検査の原理について説明する。押し切りねじ４０は、強い力で配線母線Ｂの絶縁被覆を押し切るため、押し切りねじ４０が螺挿されている金属端子１５の雌ねじ部１６も強い力を受けることとなる。使用が進むにつれて、雌ねじ部１６も劣化する（いわゆるねじがばかになる）。そこで、金属端子１５の雌ねじ部１６に雄ねじ部９３が螺挿不能である、または、ねじ止め部９２が通過するとき金属端子１５を使用不能と判断することとした。
【００３９】
検査であるが、金属端子寿命確認用検査治具９０を接続孔１４に挿通させて、金属端子１５に雄ねじ部９３が螺挿可能であるとき金属端子１５を使用可能と判断し、また、金属端子１５に雄ねじ部９３が螺挿不能（ねじ山の破損）であるかねじ止め部９２が通過する（ねじ山の摩耗消滅）とき金属端子１５を使用不能と判断する。このような金属端子寿命確認用検査治具９０とすることで、消耗品である金属端子１５の寿命が容易に確認でき、従来では使用期間等で決定していた交換に代えて、押し切りねじの状態で交換できるようになったため、常に押し切りが容易に行える状態を維持する無停電工具の検査治具とすることができる。
【００４０】
このように検査治具は、無停電工具で特に消耗の著しい金属端子の雌ねじ部と押し切りねじ先端の切り刃を、簡単に使用可否や交換時期を判断出来るようにする。このような検査治具を備える、或いは携帯すれば、電力量計の失効換え工事に際し、強引な作業や無理な作業を未然に排除できる。各検査治具は、極めて低価で加工し易い鉄、真鍮、銅合金等適宜金属で製作すればよい。
【００４１】
以上のように、本発明の無停電工具によれば、電力量計の失効換え工事に際し、配線母線の電線種類に極めて対応し易くしている。また、本発明の無停電工具の検査治具によれば、消耗部分を的確に判断し、すみやかに消耗部品を交換可能とする。これら効果が相俟って、故障や破損の原因となる無理な取付け作業を排除し、作業負担や経費負担を低減できる。
【図面の簡単な説明】
【００４２】
【図１】本発明を実施するための最良の形態の無停電工具の外観図であり、図１（ａ）は正面図、図１（ｂ）は平面図、図１（ｃ）は右側面図、図１（ｄ）は底面図である。
【図２】電源側電線や負荷側電線の固定状態の説明図であり、図２（ａ）は細線（小径電線）固定の説明図、図２（ｂ）は太線（大径電線）固定の説明図である。
【図３】無停電工具の具体例を説明する説明図であり、図３（ａ）は正面図、図３（ｂ）は平面図、図３（ｃ）は右側面図である。
【図４】他の形態の無停電工具を説明する説明図であり、図４（ａ）は正面図、図４（ｂ）は平面図、図４（ｃ）は右側面図、図４（ｄ）は他の押さえ部の拡大図、図４（ｅ）は他の押さえ部の右側面図である。
【図５】押し切りねじ寿命確認用検査治具の説明図であり、図５（ａ）は押し切りねじ寿命確認用検査治具と検査手順の説明図、図５（ｂ）は劣化した押し切りねじの説明図である。
【図６】金属端子寿命確認用検査治具の説明図であり、図６（ａ）は金属端子寿命確認用検査治具と詳細部の説明図、図６（ｂ）は検査方法の説明図である。
【図７】従来技術の無停電工具の説明図であり、図７（ａ）は接続箇所を示す断面図、図７（ｂ）は固定台における平行溝の説明図である。
【符号の説明】
【００４３】
１：無停電工具
１０：工具本体
１１：固定部
１２：凹部
１３：平行溝
１４：接続孔
１５：金属端子
１６：雌ねじ部
２０：押さえ部
２１：板体
２２：凸部
２３：平行溝
２４：細線固定用押さえ部
２５：太線固定用押さえ部
３０：締結ねじ
４０：押し切りねじ
４１：切り刃
４２：変形した切り刃
５０：表示部
６０：スイッチ
７０：吊りフック
８０：押し切りねじ寿命確認用検査治具
８１：支持部
８２：中空円筒部
９０：押し切りねじ寿命確認用検査治具
９１：支持部
９２：ねじ止め部
９３：雄ねじ部
Ｂ：配線母線
Ｂ１：電源側電線
Ｂ２：負荷側電線
【図１】
2007212318.tif 000003
【図２】
2007212318.tif 000004
【図３】
2007212318.tif 000005
【図４】
2007212318.tif 000006
【図５】
2007212318.tif 000007
【図６】
2007212318.tif 000008
【図７】
2007212318.tif 000009